(57)【特許請求の範囲】
【請求項１】
帯状のトイレットペーパーを紙管に巻いたトイレットロールであって、
前記紙管が、坪量２０〜５０ｇ／ｍ2の水解性原紙が積層され、全体として坪量１００〜２２０ｇ／ｍ2の水解性の紙管原紙を基材とし、水溶性のトイレ洗浄剤及びトイレ防汚剤の少なくとも一方を含み、かつ、前記水解性原紙の分解及び分散を促進するための発泡成分を含むことを特徴とするトイレットロール。
【請求項２】
前記発泡成分は、水溶性の炭酸塩を含有する第１成分と、水溶性の有機酸を含有する第２成分とを、含む請求項１記載のトイレットロール。
【請求項３】
第１成分及び第２成分の少なくとも一方が、紙管原紙に内添されている請求項２記載のトイレットロール。
【請求項４】
トイレ洗浄剤及びトイレ防汚剤の少なくとも一方が、紙管原紙、第１成分及び第２成分の何れかに含有されている請求項２又は３に記載のトイレットロール。
【請求項５】
前記紙管は、第１成分からなる第１成分層と第２成分からなる第２成分層とを有する請求項２〜４の何れか１項に記載のトイレットロール。
【請求項６】
前記紙管は、外周面側に、内面側から外面側に向かって第１成分からなる第１成分層と第２成分からなる第２成分層とをこの順で有する請求項５記載のトイレットロール。
【請求項７】
第１成分層と第２成分層との間に、これらを非接触状態とするための、第１成分及び第２成分とも反応しない水溶性の離間層が介在されている請求項５又は６記載のトイレットロール。
【請求項８】
トイレ洗浄剤及びトイレ防汚剤の少なくとも一方が、離間層に含有されている請求項７記載のトイレットロール。
【請求項９】
前記紙管が、複数枚の帯状の紙管原紙が幅方向に一部重ねられた状態で螺旋状に巻かれているとともにその重ね合わせ部が糊により接着されている請求項１〜８の何れか１項に記載のトイレットロール。
【発明の詳細な説明】
【技術分野】
【０００１】
本発明は、長尺のトイレットペーパーを紙管に巻取って成るトイレットロールに関する。
【背景技術】
【０００２】
トイレットロールでは、トイレットペーパーについては使用後にトイレに流して処分するが、トイレットペーパーをすべて使用した後にペーパーホルダーに残る紙管については、別途に一般ゴミとして廃棄処分している。
【０００３】
そして、この紙管の廃棄については、トイレ個室空間にあった紙管を他人と接触する別途の空間に持ち出すことに抵抗を感ずる、或いは紙管を別途の空間に持ち出して廃棄する手間自体が面倒である、との不満を抱える使用者も多い。
【０００４】
このような不満を解決すべく、紙管をトイレに流れるようにすべく水解性を持たせた商品が存在するが、トイレに廃棄できるという以上のメリットがないのが現状である。
【０００５】
紙管はトイレットペーパーを巻くため、及びトイレットロールをホルダーに取り付けるといった重要な役割を担うものであるが、使用者視点では、使用後においては廃棄物として残るだけの価値のないものとの認識もあり、紙管に有用な利用法を具備させることには意義がある。
【０００６】
ここで、紙管にトイレに流せる以上の利点を持たせた技術として下記特許文献１に開示されるように、紙管をトイレに流せるようにするとともに、紙管中にバクテリアを担持させ、浄化槽の水質改善が行えるようにしたものがある。
【０００７】
しかし、特許文献１のものは使用者が直接的に得られるメリットではないため、遡及力がなく普及するには至っていない。
【０００８】
また、紙管は、製造時にトイレットペーパーを巻く過程で歪みが生じないようにするととともに、ロール形状を維持する効果を得るべく、ある程度の強度が必要となる。このため、紙管に巻かれるトイレットペーパーと比較して強度のある坪量の高い紙によって構成する。したがって、トイレに投入しても迅速に水解させることが困難であり、紙管に特許文献１のようにバクテリア等を担持させても迅速に水中に分散させることが難しい。
【先行技術文献】
【特許文献】
【０００９】
【特許文献１】特許第２７０５７５９号
【発明の概要】
【発明が解決しようとする課題】
【００１０】
そこで、本発明の主たる課題は、使用後に紙管をトイレに投入して処分でき、しかもその際に紙管が迅速に水解し、さらにトイレの洗浄効果などの付加価値効果を有する紙管を具備したトイレットロールを提供することにある。
【課題を解決するための手段】
【００１１】
上記課題を解決した本発明とその効果は次記のとおりである。
〔請求項１記載の発明〕
帯状のトイレットペーパーを紙管に巻いたトイレットロールであって、
前記紙管が、坪量２０〜５０ｇ／ｍ2の水解性原紙が積層され、全体として坪量１００〜２２０ｇ／ｍ2の水解性の紙管原紙を基材とし、水溶性のトイレ洗浄剤及びトイレ防汚剤の少なくとも一方を含み、かつ、前記水解性原紙の分解及び分散を促進するための発泡成分を含むことを特徴とするトイレットロール。
【００１２】
〔請求項２記載の発明〕
前記発泡成分は、水溶性の炭酸塩を含有する第１成分と、水溶性の有機酸を含有する第２成分とを、含む請求項１記載のトイレットロール。
【００１３】
〔請求項３記載の発明〕
第１成分及び第２成分の少なくとも一方が、紙管原紙に内添されている請求項２記載のトイレットロール。
【００１４】
〔請求項４記載の発明〕
トイレ洗浄剤及びトイレ防汚剤の少なくとも一方が、紙管原紙、第１成分及び第２成分の何れかに含有されている請求項２又は３に記載のトイレットロール。
【００１５】
〔請求項５記載の発明〕
前記紙管は、第１成分からなる第１成分層と第２成分からなる第２成分層とを有する請求項２〜４の何れか１項に記載のトイレットロール。
【００１６】
〔請求項６記載の発明〕
前記紙管は、外周面側に、内面側から外面側に向かって第１成分からなる第１成分層と第２成分からなる第２成分層とをこの順で有する請求項５記載のトイレットロール。
【００１７】
〔請求項７記載の発明〕
第１成分層と第２成分層との間に、これらを非接触状態とするための、第１成分及び第２成分とも反応しない水溶性の離間層が介在されている請求項５又は６記載のトイレットロール。
【００１８】
〔請求項８記載の発明〕
トイレ洗浄剤及びトイレ防汚剤の少なくとも一方が、離間層に含有されている請求項７記載のトイレットロール。
【００１９】
〔請求項９記載の発明〕
前記紙管が、複数枚の帯状の紙管原紙が幅方向に一部重ねられた状態で螺旋状に巻かれているとともにその重ね合わせ部が糊により接着されている請求項１〜８の何れか１項に記載のトイレットロール。
【００２０】
（作用効果）
本発明のトイレットロールでは、紙管を水解性の紙管原紙とするとともに、トイレ洗浄剤及びトイレ防汚剤の少なくとも一方を含むこととしたので、トイレットペーパーを使用した後、紙管を水洗トイレの水溜部が形成されるトラップ部分に投入することによって上記洗浄剤等が紙管より溶出し、トイレの便器、配管等の洗浄・防汚が図られる。
【００２１】
よって、トイレットペーパー使用後に紙管をトイレ個室外に持ち出すことなく、トイレに流して簡単に処分できるとともに、トイレの清掃を行なうことができるため紙管が無駄なく利用できるようになる。
【００２２】
また、特に本発明においては、紙管を上記洗浄剤等とともに発泡成分を含むものとした。これにより、紙管を上記トラップ部分に投入した際に発泡成分が発泡し、その発泡による作用によって紙管原紙の分解・分散が促進されるとともに、洗浄剤等が上記トラップに溜まる水に迅速に拡散し、もって、紙管の水解性と洗浄効果が確実に発揮されるようになる。
【００２３】
ここで、発泡成分については、炭酸塩を含有する水溶性の第１成分と、有機酸を含有する水溶性の第２成分とすると、紙管をトラップに投入して多量の水雰囲気化において、両者が反応し、効果的に発泡作用が得られる。
【００２４】
また、特に前記第１成分及び第２成分の少なくとも一方が、紙管原紙に内添されている場合には、紙管原紙を構成する繊維のほぐれが確実になされ、紙管の分解・分散が極めて効果的になされる。
【００２５】
また、トイレ洗浄剤及びトイレ防汚剤の少なくとも一方が、紙管原紙、第１成分及び第２成分の何れかに含有されていると、紙管をトラップの水溜まりに投入した際に、発泡効果によって、上記洗浄剤等が水溜まり内の水に迅速に分散する。
【００２６】
さらに、紙管に、第１成分及び第２成分を紙管に担持させるにあたり、第１成分からなる第１成分層と第２成分からなる第２成分層とを有するようにすれば、トイレットロールが巻かれているトイレットペーパーを仕様している際に、意図せず多湿などによって第１成分と第２成分とが反応して発泡するおそれが少なくなり、また、塗布設備などによって塗布することで形成でき、製造も容易となる。
【００２７】
他方、このように第１成分層と第２成分層とを設ける場合には、紙管の外周面側に第１成分からなる第１成分層と第２成分からなる第２成分層とをこの順で有するようにすると、まず、第２成分層の有機酸がトラップ内の水に迅速に分散され、その後に炭酸塩が反応する。一般には、炭酸塩に比して有機酸のほうが水に溶出しやすいため係る構造とすると紙管の分解・分散が効果的になされる。
【００２８】
また、第１成分層と第２成分層とを設ける場合には、これらの間に、これらを非接触状態とするための、第１成分及び第２成分とも反応しない水溶性の離間層が介在されているのが望ましい。第１成分と第２成分とが意図せず反応してしまうことが防止される。
【００２９】
ここで、離間層を設ける場合には、上記トイレ洗浄剤及びトイレ防汚剤の少なくとも一方が、離間層に含有することもできる。
【００３０】
他方、本発明に係る紙管は、複数枚の帯状の紙管原紙が幅方向に一部重ねられた状態で螺旋状に巻かれているとともに重ね合わせ部において糊により接着されて形成されたものとすると、既存の紙管製造設備を使用できるので生産性の点で望ましい。また、この紙管製造形態においては、上記糊中にトイレ洗浄剤、トイレ防汚剤、第１成分、第２成分の少なくとも一つを担持させてもよい。
【００３１】
さらに、本発明においては、複数の異なるトイレ洗浄剤、トイレ防汚剤を紙管に担持させてもよい。
【発明の効果】
【００３２】
以上のとおり本発明によれば、使用後に紙管をトイレに投入して処分でき、しかもその際に紙管が迅速に水解し、さらにトイレの洗浄効果などの付加価値効果を有する紙管を具備したトイレットロールが提供される。
【図面の簡単な説明】
【００３３】
【図１】本発明に係るトイレットペーパーの製造工程の説明図である。
【図２】本発明に係る紙管の製造方法を説明するための図である。
【図３】本発明に係るトイレットロールを説明するための図である。
【図４】本発明に係る紙管原紙の構造例を示す断面図である。
【図５】本発明に係る紙管の断面図である。
【発明を実施するための形態】
【００３４】
本発明の実施形態を図面を参照しながら以下に説明する。
『本発明に係るトイレットロールの製造例』
まず、本発明に係るトイレットロールの製造例の概要を図１及び図２を参照して説明する。
【００３５】
本発明に係るトイレットロール１０の製造方法は、長尺の紙管１１Ｌを製造する工程（Ａ）と、ログ製造工程（Ｂ）と、裁断工程（Ｃ）を含む。
長尺の紙管１１Ｌを製造する工程（図１中（Ａ））は、図２にも示すように、二枚の帯状の紙管原紙（板紙）１２，１２を原反ロール１２Ａ，１２Ａからそれぞれ繰り出しつつ、所定位置に糊付けロール１３により糊３０を付与し、当該糊付けされた部分を重ねつつコアワインダー１４によりシャフト１５に螺旋状に巻付けた後、シャフトを引き抜き、生産品種に合わせた規定長さにスリッター１６にて切り揃えることで、円筒の長尺の紙管１１Ｌを形成する。
なお、各紙管原紙１２，１２は、各々違う原反を使用してもよく、例えば、一方に印刷を施したり、各々の米坪を変えたりしてもよい。本発明においても、必ずしも紙管原紙１，１は、同様のものである必要はない。
【００３６】
次いで、この長尺紙管１１Ｌの製造と平行して又はその後においては、ログ製造工程（図１中（Ｂ）にて、ログ１０Ｒを製造する。なお、ログ１０Ｒとは、業界においての一般用語であり、最終製品であるトイレットロール１０の径と同径でありかつ幅が最終製品の複数個分ある中間製品である。
このログ１０Ｒの製造は、連続的に又は段階的に、長尺紙管１１Ｌと実質的に同幅のトイレットペーパー原紙Ｓ１，Ｓ１を、ジャンボロールＪＲ，ＪＲから繰り出すとともに巻き付けてログ１０Ｒを形成する。この巻き付けは、既知のワインダー装置Ｘ２が利用できる。なお、図示例は、二つのジャンボロールＪＲ，ＪＲからトイレットペーパー原紙Ｓ１，Ｓ１を繰り出して、重ね合わせ部５１にて積層連続シートＳ２とした後、既知のコンタクトエンボス付与装置５４及びミシン目線形成装置７０にてコンタクトエンボスＣＥの付与とミシン目線（図示しない）の形成を行なった後、巻き取り装置７５にて巻き取り２プライ構造となるようにしている。
【００３７】
なお、図示の形態では、２つのジャンボロールから衛生薄葉紙を繰り出し、積層構造とした２プライ構造のトイレットペーパー原紙Ｓ２としているが、本発明においては、かかる２プライに限定されず、１プライ若しくは３プライ以上であってもよい。さらには、複数プライ構造とする場合には、各原紙の坪量や物性等は同じである必要はない。
【００３８】
次いで、このようにログ１０Ｒを製造したならば、このログ１０Ｒを既知のログアキュームレーターＸ３で複数本とストックしつつ後段のログカッター設備Ｘ４へと移動させる。そして、その後に図１中（Ｃ）に示すように、既知のログカッター７６でログ１０Ｒを製品幅に裁断し、個々のトイレットロール１０とする。
【００３９】
『トイレットロールの構成・構造例』
次いで、本発明に係るトイレットロールの構成・構造例について説明する。
本発明に係るトイレットロールは、図３に示すとおり、紙管１１にトイレットペーパーＳ３が巻かれたものである。その大きさ等は、限定はされないが、概ね、幅Ｌ１が１００〜１１５ｍｍ、直径Ｌ２が１００〜１２０ｍｍ、巻き長さ（トイレットペーパーの全長）が１８〜７０ｍ、紙管径が３５〜５０ｍｍである。
【００４０】
また、本発明に係るトイレットペーパーＳ３は、既知のものが使用できるが、ＪＩＳ Ｐ ４５０１で規定される、ほぐれやすさの試験方法における水解性の結果が１００秒以下のものとする。通常は１００秒を超えると、水解性が遅く、例えば水洗トイレ等に廃棄したときに排水管に詰まるおそれがある。本発明では、紙管の水洗トイレへの廃棄を可能にすることを課題の一つとすることから、トイレットペーパーＳ３も水洗トイレに流せるものとする。
【００４１】
トイレットペーパーＳ３において上記水解性を達成するには、原料スラリーの叩解度の調整、湿潤紙力剤の不使用など既知の方法により達成することが可能である。
【００４２】
『紙管の構成・構造例』
本発明に係る紙管１１は、特徴的に水溶性のトイレ洗浄剤及びトイレ防汚剤の少なくとも一方と、発泡成分とが担持されているとともに、水解性の紙管原紙１２が基材とされており、全体として水解性を有する。
【００４３】
前記紙管１１全体としての水解性は、上記トイレットペーパーＳ３と同様にＪＩＳ Ｐ ４５０１で規定される、ほぐれやすさの試験方法における水解性の結果が１００秒以下であるのが望ましい。１００秒を超えると、トイレに流すのに適しないものとなる。
【００４４】
紙管１１の水解性を良好にするためには、（１）紙管原紙１２を抄造する際に、原料であるパルプスラリーの叩解度を低叩解度として繊維がほぐれやすいものとする、（２）紙管原紙１２について撥水性を高めるサイズ剤や湿潤時の紙力を増加させる湿潤紙力剤を用いないか使用量を少量とする、（３）紙管原紙１２全体としての坪量を１００〜２２０ｇ／ｍ2程度とする、（４）上記トイレットロールの製造例において示した紙管原紙同士を接着する糊３０を澱粉糊、ＰＶＡ（ポリビニルアルコール）等の水溶性の高いものとする、等が挙げられる。
【００４５】
上記紙管原紙１２の原料の叩解度については、概ね５００〜６００程度のＣＳＦ（カナディアンフリーネス）とするのが望ましい。ＣＳＦが、６００を超えると、紙管１１が強度不足となるおそれがあり、５００未満だと水解性が悪化する。
【００４６】
また、紙管原紙１２の坪量が１００ｇ／ｍ2未満であると製造の際、トイレットペーパーの巻き取り時の強度が十分に確保できないおそれがあり、２２０ｇ／ｍ2を超えると水解性が極めて悪化する。サイズ剤、湿潤紙力剤の使用量については、上記ＣＳＦ及び坪量との関係で適宜定めることができる。
【００４７】
他方、上記紙管原紙１２同士を接着する糊３０については、水解性を良好にするためには、０．１ｇ／ｍ2〜５．０ｇ／ｍ2程度の付与量とするのが望ましい。
【００４８】
なお、紙管１１の水解性を良好にすべく、紙管原紙１２を多数の孔を有するものとする、ミシン目線を付与して使用者がトイレットペーパーＳ３の使用後に紙管１１を細かく裁断してトイレに流せる態様としてもよい。
【００４９】
他方、本発明に係る紙管１１は、水解性をより優れたものとすべく、例えば、図４に示すように、前記紙管原紙１２を、複数の水解性原紙２２，２２を積層し水溶性接着剤２５により一体化したものとしてもよい。なお、図４中、（Ａ）は２枚（２層）の水解性原紙２２，２２からなる紙管原紙１２を例示し、（Ｂ）は、３枚（３層）の水解性原紙２２，２２，２２からなる紙管原紙１２を例示している。水解性原紙２２の積層数は、図示例に限定されるわけではない。
【００５０】
このように紙管原紙１２を複数の水解性原紙２２を積層して構成する場合、積層数は２〜４層程度とし、その一層当たりの坪量は２０〜５０ｇ／ｍ2程度とするのが望ましい。このようにすると、紙管１１をトイレに投入した際に各層に迅速に分離され、紙管の水解性が高まる。複数の水解性原紙２２の積層一体化については、水溶性接着剤を、既知の各種塗工機、印刷機により塗布した後、それらを重ね合わせ適宜のニップロール等で加圧して製造するなどすればよい。また、水解性原紙２２としては、既知の抄紙機により抄紙される板紙或いはクレープ紙等が使用できる。また、水解性原紙同士を接着する水溶性接着剤２５については、水解性を確保すべく、０．１ｇ／ｍ2〜５．０ｇ／ｍ2程度の付与量とするのが望ましい。この範囲であると水溶性接着剤自体の水溶性が十分に発揮されるとともに、紙管１１をトイレに投入した際に、紙管１１を構成する紙管原紙１２に迅速に分解され紙管１１の水解性が良好なものとなる。
【００５１】
『発泡剤・発泡剤の担持形態』
他方、本発明に係るトイレットロール１０では、特徴的に前記紙管１１に発泡成分が担持される。この発泡成分は、紙管１１をトイレのトラップの水溜まりに投入した際に発泡するものであり、水雰囲気化で反応して発泡するものである。
【００５２】
発泡成分としては、一成分のものでもよいが、本発明では、特に、水溶性の炭酸塩を含有する第１成分と、水溶性の有機酸を含有する第２成分とを、含むものが望ましい。このような２成分とすると、多量の水雰囲気化で第１成分と第２成分とが接触して反応することになるため、トラップ内に紙管を投入するまで発泡成分が意図せず発泡するおそれが小さくなり、安定的に発泡成分を紙管に担持させることができる。
【００５３】
ここで、前記炭酸塩としては、炭酸水素ナトリウム、炭酸カリウム、炭酸アンモニウムが例示できる。また、有機酸としては、酒石酸、クエン酸、琥珀酸、リンゴ酸、リンゴ酸スルファミン等が例示できる。
【００５４】
他方、紙管１１に発泡成分を担持させるには、紙管１１に発泡成分を塗布して発泡成分層を形成する、或いは紙管原紙１２に内添、含浸させることができる。但し、紙管原紙１２はパルプ繊維を水に分散させたパルプスラリーから製造するため、発泡成分を紙管原紙１２に内添、含浸させることは製造過程が複雑になる。よって、製造上の観点から発泡成分は、紙管１１或いは紙管原紙１２に塗布して発泡成分層を形成した態様であるのが望ましい。なお、発泡成分の塗布は、発泡成分を含む発泡液を直接的に塗布する態様のほか、固体発泡成分を水溶性バインダーによって紙管表面に付着させる形態を採ることができる。
【００５５】
発泡液の塗布は、抄紙機における乾紙形成後の工程において当該乾紙に対して、或いは抄紙機で製造した原紙に対して、サイズプレスコーター、ゲートロールコーター、ビルブレードコーター、カーテンコーター等の各種塗工機、フレキソ印刷機、グラビア印刷機、インクジェット印刷機等の印刷機、スプレー塗布装置により塗布すればよい。
【００５６】
また、このように発泡成分層を形成する場合には、紙管外周面に形成するのが望ましい。トイレットロールでは、紙管内にペーパーホルダーの支持部を挿入した状態で、トイレットペーパーを引き出して使用するのが一般的であり、紙管内周面は上記支持部と摺れることになる。よって、紙管内周面に発泡成分を担持させると摺れによって発泡成分が剥離してしまうおそれがあるからである。従って、紙管外周面に発泡成分を担持させる態様とすると、剥離のおそれがなくなり、確実にトイレットペーパーを使い切った後に使用した時の発泡効果が得られるようになる。
【００５７】
ここで、特に、第１成分、第２成分とで発泡成分を構成する場合、紙管１１に第１成分と第２成分とをそれぞれ別途に紙管１１（或いは紙管原紙１２）に塗布等して、第１成分層と第２成分層とを形成するようにするのが望ましい。このようにすると、第１成分と第２成分とが意図せず反応するおそれが小さくなる。
【００５８】
また、このように第１成分層と第２成分層とを紙管外周面に形成する場合には、図５に示すように第１成分層３１と第２成分層３２とをこの順で担持させるのがよい。このように形成すると、紙管１１をトイレのトラップ内に投入すると、まず第２成分３２の有機酸がトラップ内の水に溶出してトラップ内の水が酸性となり、次いでその酸性となった水に第１成分の炭酸塩３１が接触し、効果的な発泡効果が得られる。
【００５９】
ここで、第１成分層３１と第２成分層３２とを設ける場合、図５に示すように、これらの間に、第１成分層３１と第２成分層３２とを非接触状態とするための、第１成分及び第２成分とも反応しない水溶性の離間層３３を介在させるのがよい。この離間層３３は、例えば、ＰＶＡ（ポリビニルアルコール）、澱粉糊、ＣＭＣ（カルボキシメチルセルロース）などの水溶性接着剤を、上述の発泡液の塗布方法と同様にして塗布して形成することができる。
【００６０】
なお、発泡成分は、紙管原紙１２を、水解性原紙２２，２２を積層して層構造とする場合には、それらの層間に、発泡成分層を形成するようにしてもよい。この場合、特に第１成分層、第２成分層の何れかの層のみを水解性原紙層間に位置せしめてもよい。このような態様を採ると効果的に紙管の分散・分解性が迅速に行なわれるようになる。
【００６１】
ここで、本発明に係るトイレットロール１０における発泡成分の紙管１１に対する担持量は、発泡成分の具体的組成等に応じて適宜、設計すればよく、特に限定はされない。例示すれば、紙管全体として、発泡成分が０．０５ｇ以上の担持量となるようにするのがよい。０．０５ｇ未満であると発泡効果が得られないおそれがある。好適には、０．５〜５．０ｇである。上記例示の第１成分と第２成分とで構成するのであれば、炭酸塩を０．２５〜２．５ｇ、有機酸を０．２５〜２．５ｇ、担持させれば確実な発泡効果が得られる。
【００６２】
『トイレ洗浄剤・トイレ防汚剤・担持形態』
他方、本発明のトイレットロール１０おいては、前記紙管１１が、トイレ洗浄剤及びトイレ防汚剤の少なくとも一方を含む（以下、トイレ洗浄剤とトイレ防汚剤を合わせてトイレ洗浄剤等ということがある）。好ましくは、トイレ洗浄剤は含むのが望ましい。
【００６３】
トイレ洗浄剤は、水溶性のものが好ましく、便器、便座等の清掃用途、清拭用途に用いられる既知の水溶性の洗浄剤が利用できる。好ましくは、安定性、安全性の高く、安定的に紙管に担持させることが可能であり、また洗浄効果が高い、陽イオン界面活性剤、陰イオン界面活性剤、非イオン界面活性剤、両性界面活性剤の界面活性剤である。
【００６４】
トイレ防汚剤は、便器等をコーティングするように作用する既知の防汚剤が利用できる。好ましくは、安定性、安全性の高く、安定的に紙管に担持させることが可能であり、また防汚効果が高い、油性成分であり、特にシリコーンが例示できる。
【００６５】
トイレ洗浄剤及びトイレ防汚剤を紙管１１に担持させるには、発泡成分と同様に紙管１１にトイレ洗浄剤等を塗布して層を形成する、或いは紙管原紙に内添、含浸させることができる。但し、発泡成分と同様に管原紙に内添、含浸させることは製造過程が複雑になるため、製造上の観点から紙管或いは紙管原紙に塗布して層を形成した態様とするのがよい。また、トイレ洗浄剤等の塗布も、トイレ洗浄剤等を含むトイレ洗浄液を直接的に塗布する態様のほか、固体成分をバインダーによって紙管表面に塗布する形態を採ることができる。
【００６６】
なお、トイレ洗浄剤、トイレ防汚剤は、それぞれ別途の層として紙管に担持させる態様のほか、トイレ洗浄剤及びトイレ防汚剤を混合した混合剤層として担持させてもよい。層形成については、発泡成分層と同様に、抄紙機における乾紙形成後の工程において当該乾紙に対して、或いは抄紙機で製造した原紙に対して、洗浄剤溶液或いは洗浄剤スラリーを付与手段によって付与すればよい。付与手段は、サイズプレスコーター、ゲートロールコーター、ビルブレードコーター、カーテンコーター等の各種塗工機、フレキソ印刷機、グラビア印刷機、インクジェット印刷機等の印刷機、スプレー塗布装置が例示できる。
【００６７】
他方、本発明においては、特にトイレ洗浄剤等は、上記発泡成分層とは別の層を形成して紙管１１に担持させる態様の他、発泡成分層に含有させてもよい。例えば、トイレ洗浄剤等を第１成分層３１及び第２成分層３２の何れかに含有させることができる。
【００６８】
さらに、第１成分層３１と第２成分層３２との間に、離間層３３を介在させる場合には、この離間層３３に含有させることができる。
【００６９】
また、紙管原紙１２を、水解性原紙２２，２２を積層して層構造とする場合には、それらの層間に、トイレ洗浄剤等を担持させてもよい。この場合、水解性原紙同士を接着させる水溶性接着剤２５に含有させることもできる。
【００７０】
さらに、トイレ洗浄剤等は、図２で示した紙管原紙１２、１２から紙管１１を製造する際に用いる糊３０に含有させることもできる。
【００７１】
ここで、トイレ洗浄剤等を発泡成分層に含有させずに、別の層、或いは別の担持位置とすると、発泡成分との意図しない反応が防止される。
【００７２】
ここで、本発明における洗浄剤の担持量は、特に限定はされないが、紙管全体として０．０５ｇ以上の担持量となるようにするのがよい。０．０５ｇ未満であると洗浄効果が得られないおそれがある。好適には、０．５〜５．０ｇである。
【００７３】
以上の本形態のトイレットロール１０では、トイレットペーパーＳ３をすべて使いきった後に残る紙管１１をトイレに投入することで、発泡成分が発泡して、紙管及び洗浄剤等が迅速に分散・分解され、トイレの洗浄が効果的に行えるものとなる。
【符号の説明】
【００７４】
Ｘ２…ワインダー装置、Ｘ３…ログアキュームレーター、Ｘ４…ログカッター設備、１０…トイレットロール、１０Ｒ…ログ、１１Ｌ…長尺紙管、１１…紙管、１２…紙管原紙、１２Ａ…紙管用原紙原反、１３…糊付けロール、１４…コアワインダー、１５…シャフト、１６…スリッター、Ｓ１，Ｓ２…トイレットペーパー原紙、Ｓ３…トイレットペーパー、５１…重ね合わせ部、５４…コンタクトエンボス付与装置、７０…ミシン目線形成装置、７５…巻き取り装置、７６…ログカッター、（Ａ）…紙管製造工程、（Ｂ）…ログ製造工程。（Ｃ）…裁断工程、３０…糊、３１…第１成分層。３２…第２成分層、３３…離間層、２２…水解性原紙、２５…水溶性接着剤、５０…洗浄剤。
【図１】
0005913879.tif 000002
【図２】
0005913879.tif 000003
【図３】
0005913879.tif 000004
【図４】
0005913879.tif 000005
【図５】
0005913879.tif 000006